(57)【要約】【課題】塵芥などからチェーンを防護するチェーン用カバー及びこのカバーを利用した水門開閉装置を提供する。【解決手段】操作台１３に設置した駆動装置によりチェーン２を上下動させて扉体１６を昇降させて水門１を開閉するようにした水門開閉装置であって、扉体１６と駆動装置との間に位置するチェーン２を、テレスコピック式に相互に伸縮自在に連結した複数の筒状体２２ａ〜２２ｇからなるチェーン用カバー２２で被覆した。チェーン用カバー２２は、一端を操作台１３に、他端を扉体１６にそれぞれ取り外し自在に取り付けた。チェーン用カバー２２は、伸縮自在に構成したので、扉体１６の上下動に追従させることができ、また、扉体１６及び操作台１３に取り外し自在に取り付けたので、汚れた際の清掃や破損した場合の筒状体の交換が容易となる。【選択図】        図１
2006118256.tif 000002
【特許請求の範囲】
【請求項１】
複数の筒状体を、相互に伸縮自在に連結したことを特徴とするチェーン用カバー。
【請求項２】
複数の筒状体を、テレスコピック式に相互に伸縮自在に連結したことを特徴とするチェーン用カバー。
【請求項３】
操作台上に設置した駆動装置を介してチェーンを上下動させることにより、扉体を昇降させて水門を開閉するようにした水門開閉装置において、前記扉体と前記駆動装置との間に位置する前記チェーンを請求項１または２に記載のチェーン用カバーで被覆したことを特徴とする水門開閉装置。
【請求項４】
前記チェーン用カバーの一端は、前記操作台に取り付けられると共に、前記チェーン用カバーの他端は、前記扉体に取り付けられることを特徴とする請求項３に記載の水門開閉装置。
【請求項５】
前記チェーン用カバーは、前記扉体及び前記操作台に取り外し自在に取り付けられることを特徴とする請求項４に記載の水門開閉装置。
【発明の詳細な説明】
【技術分野】
【０００１】
本発明は、むき出し状態のチェーンを被覆するチェーン用カバー、特に、防塵機能を備えた伸縮自在のチェーン用カバー、および、このチェーン用カバーを利用して、水門の扉体を昇降させる作動部材であるチェーンを被覆するようにした水門開閉装置に関するものである。
【背景技術】
【０００２】
従来、特許文献１に示すように、河川に通じる水路には水門が設置されており、この水門は、水門開閉装置を介して扉体を昇降させることにより開閉されるようになっている。そして、水門の扉体を昇降させる作動部材として、チェーンやワイヤーロープなどが利用されている。
また、特許文献２には、弁棒を利用して扉体を昇降させるゲートにおいて、弁棒の雄ねじ部に異物が付着堆積する不都合を防止するために、ゴムまたは合成樹脂のような非通水性材料によって構成された伸縮自在の蛇腹状の浸水防止部材を設けることが開示されている。
【特許文献１】特開平８−８５９３４号公報
【特許文献２】特開２００１−４１３２９号公報
【発明の開示】
【発明が解決しようとする課題】
【０００３】
従来の水門では、水門を開閉させる扉体を昇降させる場合、水門開閉装置に利用されるチェーンやワイヤーロープなどの作動部材の巻き出し長さを変えることにより、扉体を昇降させて水門を開閉していた。
しかしながら、従来の水門開閉装置では、扉体を昇降させるためにはチェーンなどの作動部材の巻き出し長さを変える必要があるため、チェーンなどの作動部材はむき出し状態で使用されていた。そのため、塵芥、雨水および潮風に曝される作動部材の耐久性を考慮して、チェーンなどの作動部材に防錆処理などを施したり、錆びにくい材料などからチェーンなどの作動部材を製作しなければならないため、コストアップの原因となっていた。
また、特許文献２には、扉体を昇降させる弁棒を取り囲むように伸縮自在な蛇腹状の浸水防止部材を設けること開示されているが、蛇腹式の浸水防止部材は、ゴムまたは合成樹脂のような非通水性材料によって構成されているため、長期間使用すると紫外線などによる劣化のおそれがあり、また、伸縮量が大きい蛇腹状の浸水防止部材を製作することは困難であり、単品生産する場合にはコスト高となってしまう問題がある。
【０００４】
本発明は、上述した点に鑑みてなされたものであり、水門を開閉する扉体の作動部材であるチェーンを被覆して、塵芥、雨水、潮風などからチェーンを防護するチェーン用カバー、およびこのチェーン用カバーを利用した水門開閉装置を提供することを目的とする。
【課題を解決するための手段】
【０００５】
そして、上述した課題を解決するために、請求項１のチェーン用カバーに係る発明は、複数の筒状体を、相互に伸縮自在に連結したことを特徴とする。
また、上述した課題を解決するために、請求項２のチェーン用カバーに係る発明は、複数の筒状体を、テレスコピック式に相互に伸縮自在に連結したことを特徴とする。
【０００６】
また、上述した課題を解決するために、請求項３の水門開閉装置に係る発明は、操作台上に設置した駆動装置を介してチェーンを上下動させることにより、扉体を昇降させて水門を開閉するようにした水門開閉装置において、扉体と駆動装置との間に位置するチェーンを請求項１または２のチェーン用カバーで被覆したことを特徴とする。
さらに、上述した課題を解決するために、請求項４の水門開閉装置に係る発明は、請求項３の発明において、前記チェーン用カバーの一端は、前記操作台に取り付けられると共に、前記チェーン用カバーの他端は、前記扉体に取り付けられることを特徴とする。
また、請求項５の水門開閉装置に係る発明は、請求項４の発明において、チェーン用カバーは、扉体および操作台に取り外し自在に取り付けられることを特徴とする。
【発明の効果】
【０００７】
請求項１に記載された発明によれば、むき出し状態のチェーン、例えば、水門開閉装置の扉体を昇降させる作動部材であるチェーンを被覆するチェーン用カバーを、複数の筒状体を相互に伸縮自在に連結するだけで、簡単に製造することができる。この場合、請求項２に記載された発明のように、複数の筒状体を、テレスコピック式に相互に伸縮自在に連結することにより、伸縮量を大きくして全体の収納スペースを小さくすることができるチェーン用カバーを簡単に製造することが可能となる。
【０００８】
請求項３に記載された発明によれば、水門開閉装置の扉体を昇降させる作動部材であるチェーンを、相互に伸縮自在に連結した複数の筒状体からなるチェーン用カバーで覆うことにより、むき出し状態のチェーンを塵芥、雨水、潮風などから確実に保護することができる。
請求項４に記載された発明によれば、チェーン用カバーは、その一端が操作台に取り付けられると共に、その他端は扉体に取り付けられるため、チェーンを介して扉体を昇降させる際に、扉体の上下動に合わせてチェーン用カバーを的確に伸縮させることができる。
請求項５に記載された発明によれば、チェーン用カバーは、扉体および操作台に取り外し自在に取り付けられるため、チェーン用カバーが汚れたり、破損した場合に、チェーン用カバーを取り外して清掃したり、破損した筒状体のみを簡単に交換することができる。
【発明を実施するための最良の形態】
【０００９】
以下、本発明の好適な実施の形態を添付した図面に基いて詳細に説明する。
図１および図２に示すように、水門１は、水路の両岸に立設した門柱１１の上部間に操作台１３を架設して、この操作台１３の上に、水路を開閉する扉体１６を昇降させるチェーン２の駆動装置３を設置して構成されている。また、各門柱１１には、それぞれ戸当り１２が取り付けられており、例えば鋼製の扉体１６を、この扉体１６の両側面に設けたローラ１７を介して上下方向に案内するようにしている。
なお、この操作台１３上には、駆動装置３の駆動を制御する操作盤１４が設置されており、また、操作台１３の周囲に防護柵１５が設けられている。ここで、水門開閉装置は、駆動装置３およびチェーン２などで構成される。また、扉体１６の上部両側には、吊り金具２１を介してチェーン２の一端が接続されており、このチェーン２の他端は、操作台１３の上に設置された駆動装置３の被駆動部３２に設けた駆動スプロケット３７（図３参照）に巻回された後、水門１を構成する構成部材、例えば操作台１３に固定されている。なお、チェーン２の他端は、駆動スプロケット３７に巻回された後、扉体１６の適所に固定してもよい。
【００１０】
図３に示すように、駆動装置３は、駆動部３１と、この駆動部３１の両側に配置された被駆動部３２とから構成されており、駆動部３１の左右から延設された各駆動軸（図示省略）に、それぞれカップリング３４を介して一対の連結軸３５の一端が連結されると共に、各連結軸３５の他端は、それぞれカップリング３４を介して各被駆動部３２の各被駆動軸３６に連結されている。また、各被駆動軸３６には、それぞれ駆動スプロケット３７が装着されており、各駆動スプロケット３７に、それぞれチェーン２の他端側が巻回されている。
なお、駆動装置３の駆動部３１には遠心ブレーキ４０が備えられており、この遠心ブレーキ４０は、扉体１６の自重降下による荷重がチェーン２から駆動スプロケット３７および被駆動軸３６を介して駆動部３１の駆動軸に作用した場合に、駆動部３１の内部に設けた歯車機構（図示省略）を介して、扉体１６の自重降下速度を制御するようにしている。また、駆動部３１には、歯車機構と遠心ブレーキ４０との間に配設した多板クラッチ（図示省略）を解放させる自重降下レバー４３が配備されている。さらに、駆動部３１には、手動操作ハンドル４２と非常上下限検出装置４１が設けられている。
【００１１】
そして、図１および図２に示すように、本実施の形態では、各チェーン２はそれぞれテレスコピック式に伸縮自在のチェーン用カバー２２で覆われている。
本実施の形態に係るチェーン用カバー２２は、図４および図５に示すように、適宜長さで複数の合成樹脂製または金属製の円筒状の筒状体２２ａ〜２２ｇをテレスコピック式に相互に連結して、図４に示す伸長状態から図５に示す縮小状態に伸縮自在に変位できるように構成されている。
また、複数の筒状体２２ａ〜２２ｇの内、最大径の筒状体２２ａには、その一端に第一取付フランジ２５が形成されると共に、この第一取付フランジ２５には、チェーン用カバー２２、すなわち、最大径の筒状体２２ａを操作台１３の下面に取り付けるための第一取付孔２６が形成されている。そして、第一取付孔２６に、例えば図示しないボルトを挿通して、操作台１３の下面に形成されたボルト孔（図示省略）に螺合させることにより、チェーン用カバー２２を操作台１３の下面に着脱自在に取付けることができるようになっている。また、最大径の筒状体２２ａの他端には内向き抜止め兼摺接部２３ａが形成されており、この内向き抜止め兼摺接部２３ａを、隣接する筒状体２２ｂの一端に形成された外向き抜止め兼摺接部２４ａに係合させて、筒状体２２ａと筒状体２２ｂとを相互に伸縮自在に連結させるように構成している。
【００１２】
また、チェーン用カバー２２を構成する複数の筒状体２２ａ〜２２ｇの内、最小径の筒状体２２ｇには、その他端に第二取付フランジ２７が形成されており、この第二取付フランジ２７には、チェーン用カバー２２、すなわち、最小径の筒状体２２ｇを扉体１６の上面に取り付けるための第二取付孔２８が形成されている。そして、第二取付孔２８に、例えば図示しないボルトを挿通して、扉体１６の上面に形成されたボルト孔（図示省略）に螺合させることにより、チェーン用カバー２２を扉体１６の上面に着脱自在に取付けることができるようになっている。また、最小径の筒状体２２ｇの一端には外向き抜止め兼摺接部２４ｆが形成されており、この外向き抜止め兼摺接部２４ｆを、隣接する筒状体２２ｆの他端に形成された内向き抜止め兼摺接部２３ｆに係合させて、筒状体２２ｇと筒状体２２ｆとを相互に伸縮自在に連結させるように構成している。
【００１３】
さらに、チェーン用カバー２２を構成する複数の筒状体２２ａ〜２２ｇの内、最大径の筒状体２２ａと最小径の筒状体２２ｇとの間に位置する筒状体２２ｂ〜２２ｆは、筒状体２２ｂ、筒状体２２ｃ、筒状体２２ｄ、筒状体２２ｅおよび筒状体２２ｆの順に、順次小径となるように形成されている。また、各筒状体２２ｂ〜２２ｆには、それらの一端に外向き抜止め兼摺接部２４ａ〜２４ｅが形成されると共に、各筒状体２２ｂ〜２２ｆの他端に内向き抜止め兼摺接部２３ｂ〜２３ｆが形成されている。
そして、各筒状体２２ｂ〜２２ｆを、最大径の筒状体２２ａと最小径の筒状体２２ｇとの間に位置させて、各筒状体２２ｂ〜２２ｆに形成した外向き抜止め兼摺接部２４ａ〜２４ｅと内向き抜止め兼摺接部２３ｂ〜２３ｆを相互に連結させると共に、最大径の筒状体２２ａの内向き抜止め兼摺接部２３ａに筒状体２２ｂの外向き抜止め兼摺接部２４ａを連結させ、また、最小径の筒状体２２ｇの外向き抜止め兼摺接部２４ｆに筒状体２２ｆの内向き抜止め兼摺接部２３ｆを連結させて、テレスコピック式に伸縮自在のチェーン用カバー２２を構成している。
【００１４】
なお、本実施の形態では、７個の円筒形状の筒状体２２ａ〜２２ｇをテレスコピック式に相互に伸縮自在に連結したチェーン用カバーの形態について説明しているが、扉体１６の揚程（図１および図２において、実線で示す扉体１６の位置から二点鎖線で示す扉体１６の位置までの距離）に合わせて７個以外の適宜数の筒状体を組合せることにより、テレスコピック式に伸縮自在のチェーン用カバーを構成することもできる。また、筒状体の形状は、円筒形状だけでなく、例えば、三角形状、四角形状などの他の適宜の多角形状の筒状体で形成することもできる。さらに、各筒状体に彩色を施して、周囲の景観に合わせた色彩のチェーン用カバーを構成することもできる。
【００１５】
また、本実施の形態では、テレスコピック式に伸縮自在のチェーン用カバーを構成する形態について説明しているが、他の実施の形態として、径の異なる二種類の筒状体を組み合わせて、すなわち、複数の大径の筒状体と複数の小径の筒状体を、大径の筒状体と小径の筒状体とを交互に組み合わせて配置して、大径の筒状体と小径の筒状体を交互に連結させて伸縮自在のチェーン用カバーを構成することもできる。この他の実施の形態では、大径の筒状体の両端に形成した内向き抜止め兼摺接部と小径の筒状体の両端に形成した外向き抜止め兼摺接部とを相互に連結すると共に、両端側に位置する大径の筒状体または小径の筒状体の端部に取付フランジを形成してチェーン用カバーを構成する。また、大径の筒状体は、二つに分割した半筒状体を形成して、二つの半筒状体を結合することにより構成される。そして、大径の筒状体と小径の筒状体を組み合わせて伸縮自在のチェーン用カバーを構成する場合には、大径の筒状体の両側に位置する二つの小径の筒状体の各端部、すなわち、外向き抜止め兼摺接部を、二つの大径の半筒状体の両端部に形成した内向き抜止め兼摺接部で取り囲み、その後、二つの大径の半筒状体を結合して、大径の筒状体と小径の筒状体を、相互に伸縮自在に連結して伸縮自在のチェーン用カバーを構成する。
【００１６】
以上のように構成されたチェーン用カバーは、例えば水門開閉装置の扉体を昇降させるチェーンを覆うチェーン用カバーとして使用される。
図１および図２に示すように、水門１を開閉する扉体１６を昇降させるチェーン２は、その一端が扉体１６の両端上部に装着した吊り金具２１に取り付けられると共に、その他端側は駆動装置３の被駆動部３２に設けた駆動スプロケット３７に巻回された後、チェーン２の他端は操作台１３または他の適宜部材に取り付けられる。
そして、チェーン２を覆うようにチェーン用カバー２２を設置する場合、まず、チェーン用カバー２を縮小させた状態で最大径の筒状体２２ａの一端に形成した第一取付フランジ２５の第一取付孔２６にボルトを挿通して操作台１４の下面に形成したボルト孔に螺合させてボルト結合させて固定する。次に、被駆動部３２の駆動スプロケット３７に巻回させたチェーン２の一端をチェーン用カバー２内に挿通して、扉体１６の吊り金具２１に固定する。その後、縮小状態のチェーン用カバー２を伸長させて、チェーン用カバー２の他端、すなわち、最小径の筒状体２２ｇに形成した第二取付フランジ２７の第二取付孔２８にボルトを挿通して、扉体１６の上面に形成されたボルト孔に螺合させてチェーン用カバー２を扉体１６の上面に固定する。このようにして、左右のチェーン２に対するチェーン用カバー２２の取付作業を終了する。なお、チェーン２を覆うようにチェーン用カバー２２を設置する場合、チェーン用カバー２は、扉体１６に固定した後、操作台１３の下面に固定してもよい。
【００１７】
次に、本実施の形態の作用について説明する。
まず、水門１を開放させる際には、駆動部３１の電動機４を駆動させると、電動機４の回転駆動が駆動部３１内の歯車機構を介して左右の各駆動軸に伝達され、各駆動軸の回転駆動が、一対の連結軸３５を介して各被駆動軸３６の駆動スプロケット３７に伝達され、駆動スプロケット３７が回転駆動されることにより、チェーン２が巻き込まれて扉体１６が上昇する。この際、チェーン用カバー２２は、その両端が操作台１３と扉体１６に固定されているため、扉体１６の上昇に伴なって、各筒状体２２ａ〜２２ｇが相互に連結された状態で繰り入れられて縮小する。
また、水門１を閉鎖する際には、自重降下レバー４３を回動して、多板クラッチを解放すると共に落下防止用ブレーキとの連結を解除すると、扉体１６は自重により降下して、自重降下する扉体１６の荷重が、チェーン２から駆動スプロケット３７、被駆動軸３６および駆動軸に伝達されると共に駆動部３１内の歯車機構を介して遠心ブレーキ４０に伝達され、扉体１６を安全に自動降下させる。この際、チェーン用カバー２２は、その両端が操作台１３と扉体１６に固定されているため、扉体１６の降下に伴なって、各筒状体２２ａ〜２２ｇが相互に連結された状態で繰り出されて伸長する。
このように、本実施の形態に係るチェーン用カバーは、扉体が昇降する際にチェーンの巻き出しまたは巻き込みに連動して伸縮自在に構成されているので、少なくとも操作台と扉体との間に位置するチェーンを被覆して、チェーンを塵芥、雨水、潮風などから確実に保護することが可能となる。
また、本実施の形態に係るチェーン用カバーは、複数の筒状体を相互に伸縮自在に連結して構成しているので、伸縮量が大きいにもかかわらず全体の収納スペースを小さくすることが可能となる。
【００１８】
以上、水門開閉装置の扉体を昇降させるチェーンを被覆する伸縮自在のチェーン用カバーを構成する形態について説明したが、本実施の形態に係るチェーン用カバーは、水門開閉装置の扉体を昇降させるワイヤーロープまたはラック棒を被覆する伸縮式カバーとしても利用することができる。
【図面の簡単な説明】
【００１９】
【図１】チェーン用カバーを備えた水門の正面図である。
【図２】チェーン用カバーを備えた水門の側面図である。
【図３】水門開閉装置を構成する駆動装置の上面図である。
【図４】チェーン用カバーの伸長状態を示す図である。
【図５】チェーン用カバーの縮小状態を示す図である。
【符号の説明】
【００２０】
１  水門開閉装置
１１  門柱
１２  戸当り
１３  操作台
１４  操作盤
１５  防護柵
１６  扉体
１７  ローラ
２  チェーン
２１  吊り金具
２２  チェーンカバー
２２ａ〜２２ｇ  筒状部材
２３ａ〜２３ｆ  内向き抜止め兼摺接部
２４ａ〜２４ｆ  外向き抜止め兼摺接部
２５  第一取付フランジ
２６  第一取付孔
２７  第二取付フランジ
２８  第二取付孔
３  駆動装置
３１  駆動部
３２  被駆動部
３３  電動機
３４  カップリング
３５  連結軸
３６  被駆動軸
３７  駆動スプロケット
４０  遠心ブレーキ
４１  非常上下限検出装置
４２  手動操作ハンドル
４３  自動降下レバー
【図１】
2006118256.tif 000003
【図２】
2006118256.tif 000004
【図３】
2006118256.tif 000005
【図４】
2006118256.tif 000006
【図５】
2006118256.tif 000007